(57)【要約】【目的】本発明は、貝殻類の焼成物と天然ゼオライト鉱物及びアルコールを用いて製造したものを石油燃料に添加剤として使用し、燃費向上と排出ガスを減少させることを目的としている。【構成】天然ゼオライト鉱物を５ｍｍ程度に粉砕し、これを温度３５０℃で６０分焼成し、かき、帆立貝等の貝殻類を７００℃で約３０分焼成したものを該天然ゼオライト２０％と該貝殻類の粉砕したものを８０％で混合したものを電気炉に注入し、初期温度５００℃で３時間焼成し、その後温度を８４５℃で６時間焼成する。これを稍５ミクロン前後の粒子に微粉砕し、その後、イソプロピルアルコールに重量比０．５％添加して３時間及至５時間撹拌した後に１０日間静置する。これによって出来た液体を石油類に添加することを特徴としている。【特許請求の範囲】
【請求項１】
天然ゼオライト鉱物を５ｍｍ程度に粉砕し、ロータリーキルンを用いて約温度３５０℃で約６０分焼成し、かき、帆立貝等の貝殻をロータリーキルンで７００℃前後で約３０分焼成し、その後該天然ゼオライトの粉砕２０％と貝殻類の粉砕８０％との割合で混合した後、電気炉に挿入し、初期温度５００℃前後で３時間程度焼成処理し、その後、さらに温度を上昇させて８４５℃程度で約６時間焼成処理した後、ジェットミル等の粉砕機で粒度経を稍５ミクロン前後の粒子に微粉砕し、その後、前記微粉砕をイソプロピルアルコールに重量比で０．５％添加して３時間及至５時間撹拌した後、１０日間静置することを特徴とする石油類の燃焼効率改善用添加剤による添加液の製造法。
【発明の詳細な説明】
【０００１】
本発明は、貝殻類と天然ゼイライト及びアルコールを使用して製造し、これを石油燃料に３〜５％添加することにより燃料費の改善向上を達成すると共に、排出する有害ガスの減少と省エネルギーのための石油類の燃焼効率改善用添加剤による添加液の製造法に関するものである。
【０００２】
【従来の技術】
従来のこの種の添加剤及び添加液は各種開発散見されているが、これ等のものは、石油系、アルコール系のものが多く、それ等のものは、大半が金属触媒を含有していないので、効果も微弱なものであることが研究、実験により確認されている。
【０００３】
これに対して本発明のものは、ゼオライトにカルシウム、カリウム、マグネシウム等のアルカリ金属をイオン化して、イソプロピルアルコール分子と結合させたもので、燃焼時にこれ等のイオン化金属元素が触媒となり、大幅に燃焼効率を向上させ、有害ガスの発生も同時に抑える働きをするものであります。
【０００４】
更に、石油は水素元素の化合物であるが、水素と炭素との純粋な化合物ではなく、硫化物や、その他種々の物質が混在しているため、燃焼が完全ではなく種々のガスが産生されるものである。これ等硫化物等を含んだ石油類に対して、本発明の該添加剤によりなる液体を添加することにより、強い酸性の硫化物が還元され、中性以上に還元される。このことにより、燃焼効率が上昇すると同時にアルデヒド、黒煙、ＰＭ等が著しく減少するものである。
【０００５】
また、石油や水素化合物は、分子が１個づつバラバラに存在しているのではなく、数十個か百個以上の分子が互いに水素結合し、一つの固まりになって分子集団を形成しているものである。これ等の分子集団の水素結合鎖を分断することにより、小さな集団に出来ることが、これまでの研究実験によって確認されているものである。
【０００６】
【発明が解決しよとうする課題】
本発明は、上述のような従来の実情に鑑みてなされたもので、その解決しようとする問題点は、各種の石油燃料にイソプロピルアルコールに貝殻類と天然ゼオライトの微粒末を添加した液体を使用することによって、従来の排気ガスの特に有害ガスのＣｏ、Ｎｏｘ、ＨＣ、ＰＭ、黒煙等を抑制する点と、燃焼時に大幅に燃焼効率を向上させる点である。
【０００７】
【課題を解決するための手段】
本発明は、上記目的を達成するために、天然ゼオライト鉱物の粉砕されたものと、貝殻類との粉砕したものとを混合し、これをジェットミル等の粉砕機で粒度経５ミクロン前後の粒子の微粉砕する。その後、該微粉砕をイソプロピルアルコールに添加して撹拌して燃焼効率改善用添加剤による添加液の製造法を特徴としているものである。
【０００８】
【実施例】
次に、本発明の石油類に使用する燃焼効率改善用添加剤の添加液の製造法は、天然ゼオライト鉱物と、かき、帆立貝等の貝殻類と、アルコールを使用して製造される。即ち、天然ゼオライト鉱物を５ｍｍ程度に粉砕する。その粉砕された天然ゼオライトをロータリーキルンを用いて約温度３５０℃で約６０分間焼成し、これを粉砕に加工する。
また、かき、帆立貝等の貝殻類をロータリーキルンで７００℃程度で約３０分間焼成する。
次に、該天然ゼオライトの粉砕２０％と、該貝殻類の粉砕８０％との割合で混合する。
その後、混合されたものを電気炉に注入して初期温度５００℃程度で約３時間焼成処理した後に、さらに温度を上昇させて８４５℃程度で約６時間焼成処理する。
その後、ジェットミル等の粉砕機を使用して粒度経を稍５ミクロン前後の粒子に微粉砕する。
前記微粉砕をイソプロピルアルコールに重量比で０．５％添加して約３時間及至５時間撹拌した後、更に１０日間静置して燃料添加剤の添加液を製造するものである。
【０００９】
以上の燃料添加剤を３〜５％添加することにより燃費を向上させる等の所期の目的を達成できる。また、この添加剤の添加液を使用することにより、燃焼時にアルカリ金属元素が触媒となって完全燃焼を達成できるものである。
【００１０】
更に、燃料添加剤の液体を石油類に添加することにより、排気ガス、特に有害ガスのＣｏ、Ｎｏｘ、ＨＣ、ＰＭ、黒煙等も大幅に産生を抑制することができるものである。
【００１１】
【発明の効果】
以上説明したように、本発明の石油類に使用する燃焼効率改善用の添加剤の添加液製造法によれば、従来の石油系、アルコール系の添加剤及び添加液と異なり、アルカリ金属をイオン化してイソプロピルアルコール分子と結合させ、燃焼時にイオン化金属元素が触媒となり、燃焼効率の向上と有害ガスの発生を防止する効果がある。
そして、天然ゼオライトの５ｍｍ程度の粉砕したものを温度３５０℃で約６０分焼成した２０％の粉体と、かき、帆立貝等の貝殻類を７００℃程度で約３０分焼成した８０％の粉体とを混合した後、これを電気炉のよって初期温度５００℃で３時間焼成処理し、さらに上昇温度によって８４５℃で約６時間焼成した後に、粉砕機で粒度経５ミクロンの粒子に微粉砕したので、粉体は充分に焼成処理されると共に、貝殻類を８０％と主体としたので、石油類等に対して石油類の分子に陽イオンを送り込み、燃焼の時の触媒となり、より燃焼効率を高める効果がある。また、天然ゼオライトと貝殻類との混合した微粉砕をイソプロピルアルコールに重量比で０．５％添加したものを３時間及至５時間に亘って撹拌した後に１０日間静置したことによって、混合した微粉砕とイソプロピルアルコールとは充分に浸透した液体となり、石油類との添加融合が極めて容易となる効果と、石油燃料に添加する量も３％及至５％の少量でアルデヒド、黒煙、ＰＭ等が著しく減少する効果と、安価のため大変に経済的である効果がある。また本発明は、天然ゼオラオトと貝殻類とイソプロピルアルコールとの三者を以って容易に製造できると共に、各々が安価のため容易に提供できる効果がある。
【００１２】
【実験例１】
次に、本発明の燃費向上添加剤を使用した運転試験のテスト表を第１表と表す。
【００１３】
【表１】
2004099849.tif 000002
2004099849.tif 000003
【００１４】
また、他の車輌に燃費添加剤を使用した実証試験記録のテスト表を第２表に表す。
【００１５】
【表２】
2004099849.tif 000004
2004099849.tif 000005
2004099849.tif 000006
【００１６】
次に、他の車輌に燃費添加剤を使用した実証試験記録のテスト表を第３表に表す。
【００１７】
【表３】
2004099849.tif 000007
2004099849.tif 000008